(57)【要約】【課題】カーナビゲーション装置を用いた広告システムにおいて、ユーザーに通信費の負担をかけずに、常に、最新の商業施設の情報を得ることができるようにする。また、広告主にとって広告効果の高い広告システムを提供する。【解決手段】地図情報にリンクさせた広告情報を地上デジタル放送によりカーナビゲーション装置に配信、記録する。そして、ユーザーがその広告を参照したときには、履歴として記録される。ユーザーがその広告に係る店舗の商品の購入、サービスの提供を受けたときに、ＤＳＲＣの無線端末により商業施設側に、その広告参照履歴が送られる。そして、決済をするカード会社に転送され、放送事業者は、その広告参照履歴により計算された広告の効果に見合った対価を受け取る。【選択図】        図１
2008242976.tif 000002
【特許請求の範囲】
【請求項１】
ＤＳＲＣ（Dedicated Short Range Communication）端末とカーナビゲーション装置とを備えた車両に乗るユーザーに対して広告をおこなうナビゲーション装置向け広告配信システムにおいて、
広告依頼主の管理サーバは、広告に関する情報とその広告の参照に見合った広告手数料情報とをコンテンツプロバイダの管理サーバーに送信し、
前記コンテンツプロバイダは、前記広告依頼主の紹介するコンテンツを作成し、前記広告に関する情報とその広告の参照に見合った広告手数料情報を、放送局に転送し、かつ、前記広告の参照に見合った広告手数料情報を、カード会社に転送し、
前記放送局の放送装置は、広告依頼主の前記広告を放送し、
前記カーナビゲーション装置の表示部は、放送された広告を表示し、
前記カーナビゲーション装置は、その広告依頼主に関する情報を参照されたときには、前記広告依頼主の紹介するコンテンツを表示して、ユーザーの広告参照履歴を記録し、
前記ＤＳＲＣ端末は、前記広告参照履歴を他のＤＳＲＣ端末に送信し、
カード会社の管理サーバーは、他のＤＳＲＣ端末からネットワークを介して送信されてくる前記広告参照履歴と該当する広告依頼主の前記広告手数料情報に基づき、該当する広告依頼主に対する前記放送会社への広告料を計算することを特徴とするナビゲーション装置向け広告配信システム。
【発明の詳細な説明】
【技術分野】
【０００１】
本発明は、ナビゲーション装置向け広告配信システムに係り、特に、ＤＳＲＣ（Dedicated Short Range Communication）無線端末を有する車両のカーナビゲーション装置に広告を配信し、ユーザに便利さを提供すると共に、放送事業者にもビジネスの機会を広げるナビゲーション装置向け広告配信システムに関する。
【背景技術】
【０００２】
ＤＳＲＣ（Dedicated Short Range Communication、領域通信）は、電波によってごく近距離の通信をおこなう技術であり、主に自動車での利用を想定している。ＤＳＲＣによる通信では、路側機（路側に設置された無線装置）と車載機（車両に設置された無線装置）との間で通信をおこなうものである。
【０００３】
ＤＳＲＣは、もともとは高速道路の自動料金支払いシステム（ＥＴＣ：Electronic Toll Collection System）の通信技術として開発されたという経緯がある。このＥＴＣは、有料道路の通行料の決済をおこなうものであり、料金所における渋滞の解消、キャッシュレスによるドライバの利便性の向上、人件費等の管理費の削減などの効果を狙っている。
【０００４】
さらに、ＤＳＲＣについて、現在では、ＥＴＣに限らず車と周囲の施設とが連携したサービスを実現するための技術として応用が期待されている。例としては、駐車場での利用状態の把握や、物流における配送トラックの管理、ガソリンスタンドやファーストフードのドライブスルーでの自動料金支払いなどが考えられている。このような商業施設でも、料金決済や情報提供サービスがおこなわれ、ＤＳＲＣを利用する商業施設の数が増加することが期待されている。
【０００５】
以下の特許文献１には、ＤＳＲＣを利用した道路標識システムが開示されている。また、以下の特許文献２には、ＥＴＣの一形態として、車載装置によって設定されたメールアドレスに、インターネットにより課金内容を通知するシステムが開示されている。
【０００６】
一方、カーナビゲーション装置は、ドライバに地図情報と自車の位置情報を表示し、運転をサポートするための装置であり、自動車のＩＴ化の進展に伴い広く用いられるようになってきている。
【０００７】
【特許文献１】特開２００４−５３１８号公報
【特許文献２】特開２００４−３８７２６号公報
【発明の開示】
【発明が解決しようとする課題】
【０００８】
上記カーナビゲーション装置において、ユーザーが商業施設情報（住所、連絡先、サービス内容など）を検索するには、従来技術においては、例えば、以下の手段が用いられる。
【０００９】
（Ｎ１）ＤＶＤディスク等の読み取り専用記憶装置から通信を行わずに検索する場合
（Ｎ２）情報センターにある地図データベースから地図情報を定期的に通信手段を用いてダウンロードし、記憶装置に記憶させ検索する場合
（Ｎ３）情報センターから商業施設情報の結果を通信手段を用いて直接取得する場合
ユーザーが商業施設情報を検索したいときに、商業施設情報の検索結果のみを、地図データベースを有する情報センターから通信手段を用いて取得する。
【００１０】
また、一方で、ユーザーが商業施設情報を知るには、従来のテレビ放送またはラジオ放送を用いる方法も考えられる。それらの方法では、視聴者または聴取者に広告情報を伝達するには、以下の手段が用いられる。
【００１１】
（Ｂ１）チャンネル毎に所定の時刻に映像・音声を放送することで広告情報をリアルタムに伝達する。
【００１２】
（Ｂ２）配信された映像・音声・文字等の情報を、記憶装置に記憶しておき、広告情報を任意の時刻に伝達する。
【００１３】
ところで、将来、ＤＳＲＣが利用できる商業施設は増加し、商業施設が提供するサービス内容は逐次変化することが予想される。そのため、上記の従来技術によるカーナビゲーション装置による（Ｎ１）〜（Ｎ３）の検索手段は、それぞれ以下のような課題がある。
【００１４】
（Ｎａ）地図データベースの更新間隔が年１〜２回程度と長いため、ＤＳＲＣを利用したサービス提供を始めて間もない商業施設について、ユーザーは検索することができない。また、その商業施設を経営する事業者にとって、ユーザーが地図を更新するまで、新規の顧客を獲得する機会が失われることになる。
【００１５】
（Ｎｂ）地図更新情報を通信で取得するため、（Ｎ１）に比べて、リアルタイムで情報が取得できるが、ユーザーは高い通信料を負担する必要がある。
【００１６】
（Ｎｃ）（Ｎ２）に比べて、通信料は少ないが検索時間が長くなる。また、情報センターが稼動しないシステムメンテナンスやシステムダウンの際、ユーザーは商業施設情報を検索できない。
【００１７】
さらに、上記（Ｂ１）および（Ｂ２）に示す従来技術による放送を利用した広告情報伝達手段は、それぞれ以下のような課題がある。
【００１８】
（Ｂａ）映像・音声の情報を時系列に配信する手段であるため、時間的な制約が大きい広告媒体である。このため、時間当たりの広告料は高くなり、広告を出せるのは大規模で資金に余裕がある商業施設の事業者に限られる。
【００１９】
（Ｂｂ）記憶媒体に記録した場合、視聴者または聴取者は、広告が記録されている部分を飛ばしたり、消去することができるため、広告主（スポンサー）の立場から見ると広告の効果が低下することになる。
【００２０】
本発明は、上記問題点を解決するためになされたもので、カーナビゲーション装置を用いた広告システムにおいて、ユーザーに通信費の負担をかけずに、常に、最新の商業施設の情報を得ることができ、しかも、広告主にとって広告効果の高い広告システムを提供することにある。
【課題を解決するための手段】
【００２１】
本発明では、地図情報にリンクさせた広告情報を地上デジタル放送によりカーナビゲーション装置等に配信、記録する。そして、その効果は、広告参照履歴として、カーナビゲーション装置内でカウントされ、ＤＳＲＣの無線端末を介して、決済をするカード会社に送られる。放送事業者は、その広告の効果に見合った対価を受け取る。
【発明の効果】
【００２２】
本発明によれば、カーナビゲーション装置を用いた広告システムにおいて、ユーザーに通信費の負担をかけずに、常に、最新の商業施設の情報を得ることができ、しかも、広告主にとって広告効果の高い広告システムを提供することができる。
【発明を実施するための最良の形態】
【００２３】
以下、本発明に係る一実施形態を、図１ないし図７を用いて説明する。
【００２４】
〔広告システムの概要〕
先ず、図１を用いて本発明の一実施形態に係る広告システムの概要を説明する。
図１は、本発明に係る一実施形態の広告システムの概要を説明する図である。
【００２５】
本発明で広告の対象とするユーザーは、例えば、カーナビゲーション装置とＤＳＲＣ端末を備えた自動車のドライバである。
【００２６】
この例では、広告の依頼主が○○駐車場のオーナーであり、ユーザーがその駐車場を利用する場合について説明する。
【００２７】
先ず、広告の依頼主から放送局に対して、○○駐車場の広告放送の依頼がされているものとする。放送局は、図１に示されるように、広告の契約のスケジュールに基づいて○○駐車場の広告を放送する。
【００２８】
自動車のドライバが、カーナビゲーション装置を見て、○○駐車場の情報を取得したとする。例えば、カーナビゲーション装置の○○駐車場のアイコンをクリックして、料金情報や車庫の空き情報を見たとする。このように広告を利用したことは、カーナビゲーション装置に付属した履歴情報記録部に保存される。そして、ドライバが広告を参照した○○駐車場に一定の時間内（例えば、二時間とする）に入り、利用したとする。そのときに、ＤＳＲＣ端末により課金されるが、広告を利用した情報は、センターのサーバに集計されて、広告利用の効果が評価される。そして、放送局には、その効果に見合った広告利用の対価が支払われる。
【００２９】
このようにユーザーにとっては、リアルタイムの店舗情報などが利用できるメリットがあり、広告の依頼主には、広告の効果に見合った対価を支払い、合理的な経営に資することができる。放送局にとっても、このカーナビゲーション装置を利用した放送広告が増えてくれば、広告収入の増加を見込むことができる。
【００３０】
〔広告システムのハードウェア構成〕
次に、図２を用いて本発明の一実施形態に係る広告システムのハードウェア構成について説明する。
図２は、本発明の一実施形態に係る広告システムのハードウェア構成図である。
【００３１】
本発明の一実施形態に係る広告システムは、放送局３０、カード会社５０、コンテンツプロバイダ２０、通信会社７０、店舗（広告依頼主）１０、および、車両４０の各サイトよりなる。
【００３２】
放送局３０のサイトは、管理サーバ３０ａと放送装置３０ｂを有する。管理サーバ３０ａは、ＣＰＵ、主記憶、ネットワークＩＦ、周辺装置ＩＦを備えており、ネットワークＩＦにより、外部のネットワークと接続され、周辺装置ＩＦには、ＨＤＤなどの周辺装置が接続されている。
【００３３】
管理サーバ３０ａは、広告情報や決済情報、また、放送スケジュールなどを管理している。
【００３４】
カード会社６０のサイトは、管理サーバ６０ａを有する。管理サーバ３０ａは、ＣＰＵ、主記憶、ネットワークＩＦ、周辺装置ＩＦを備えており、ネットワークＩＦにより、外部のネットワークと接続され、周辺装置ＩＦには、ＨＤＤなどの周辺装置が接続されている。
【００３５】
管理サーバ６０ａは、決済情報、ユーザの与信情報、カードの発行履歴などを管理している。
【００３６】
コンテンツプロバイダ２０のサイトは、管理サーバ２０ａとＷＷＷサーバ２０ｂを有する。管理サーバ３０ａとＷＷＷサーバ２０ｂは、共に、ＣＰＵ、主記憶、ネットワークＩＦ、周辺装置ＩＦを備えており、ネットワークＩＦにより、外部のネットワークと接続され、周辺装置ＩＦには、ＨＤＤなどの周辺装置が接続されている。
【００３７】
管理サーバ２０ａは、決済情報、広告情報、広告依頼主の情報などを管理している。
【００３８】
Ｗｅｂサーバ２０ｂは、ＨＴＭＬ文書や画像などの情報を蓄積しておき、Ｗｅｂブラウザなどのクライアントソフトウェアの要求に応じて、インターネットなどのネットワークを介して、これらの情報を送信する役割を果たすサーバである。
【００３９】
通信会社７０は、いわゆるインターネットサービスプロバイダであり、このサイトは、通信管理サーバ７０ａを有する。通信管理サーバ７０ａは、ＣＰＵ、主記憶、ネットワークＩＦ、周辺装置ＩＦを備えており、ネットワークＩＦにより、外部のネットワークと接続され、周辺装置ＩＦには、ＨＤＤなどの周辺装置が接続されている。
【００４０】
通信管理サーバ７０ａは、各サイトからの接続、ユーザ情報、ネットワークの通信トラフィックなどを管理しており、各サイトからの接続要求を受け付けて、インターネットと接続する。
【００４１】
店舗１０のサイトは、管理サーバ１０ａとＤＳＲＣ端末１０ｂを有する。管理サーバ１０ａは、ＣＰＵ、主記憶、ネットワークＩＦ、周辺装置ＩＦを備えており、ネットワークＩＦにより、外部のネットワークとＤＳＲＣ端末に接続され、周辺装置ＩＦには、ＨＤＤなどの周辺装置が接続されている。
【００４２】
ＤＳＲＣ端末１０ｂは、ＣＰＵ、主記憶、ネットワークＩＦ、無線送受信ＩＦを備えており、ネットワークＩＦにより、管理サーバ１０ａと接続され、無線送受信ＩＦにより、車載側のＤＳＲＣ端末と無線により接続される。
【００４３】
車両４０のサイトは、車載コンピュータ５０ａ、カーナビゲーション装置５０ｂ、ＤＳＲＣ端末５０ｃを有する。
【００４４】
車載コンピュータ５０ａは、ＣＰＵ、主記憶、ネットワークＩＦ、周辺装置ＩＦを備えており、ネットワークＩＦにより、車内のカーナビゲーション装置５０ｂとＤＳＲＣ端末５０ｃに接続され、周辺装置ＩＦには、ＨＤＤなどの周辺装置が接続されている。
【００４５】
車載コンピュータ５０ａは、カーナビゲーション装置５０ｂ、ＤＳＲＣ端末５０ｃを管理しており、必要な情報を受け取り、周辺装置に格納する。
【００４６】
カーナビゲーション装置５０ｂは、ＣＰＵ、主記憶、ＧＰＳ、表示部入力部、周辺装置ＩＦ、ネットワークＩＦ、無線送受信ＩＦ、放送受信部を備えており、ネットワークＩＦにより、車載コンピュータ５０ａとＤＳＲＣ端末５０ｃに接続されている。また、無線送受信ＩＦにより、通信会社の通信管理サーバ７０ａと無線により接続される。ＧＰＳは、衛星などと通信し、走行位置を確認するシステムである。周辺装置ＩＦには、例えば、ＤＶＤ−ＲＯＭドライブが接続される。ＤＶＤ−ＲＯＭドライブは、地図データを格納するＤＶＤ−ＲＯＭからデータを読み込む装置である。また、入力部は、タッチパネルやボタンなどのこのカーナビゲーション装置を操作するための入力をする部分である。
【００４７】
本実施形態のカーナビゲーション装置５０ｂは、通常のカーナビゲーション機能の外に、放送受信部により放送局からの放送を受け取って、広告を表示部に表示する機能を有する。
【００４８】
ＤＳＲＣ端末５０ｃは、ＣＰＵ、主記憶、ネットワークＩＦ、無線送受信ＩＦを備えており、ネットワークＩＦにより、車載コンピュータ５０ａと接続され、無線送受信ＩＦにより、店舗側のＤＳＲＣ端末と無線により接続され、必要な情報が店舗側のＤＳＲＣ端末に送られる。
【００４９】
〔広告システムの動作の詳細〕
次に、図３ないし図７を用いて本発明の一実施形態に係る広告システムで用いられるデータ構造について説明する。
図３は、広告基本情報リストの一例を示す図である。
図４は、広告情報リストの一例を示す図である。
図５は、広告配信条件情報リストの一例を示すである。
図６は、放送局検索テーブルの一例を示す図である。
図７は、広告配信タイムテーブルの一例を示す図である。
【００５０】
広告基本情報リストは、コンテンツプロバイダ２０サイトで、広告主から提供される広告のための広告の基本情報をリスト状にして格納したものであり、図３に示されるように、顧客ＩＤ、店舗の名称、店舗のジャンル、営業時間、住所（所在地）、連絡先、広告したい内容、配信期間、配信時間帯または配信回数、配信曜日、配信エリア、広告手数料、ＵＲＬなどの項目からなる。
【００５１】
ここで、広告手数料は、例えば、「ユーザーが店舗１０の広告やＷｅｂを閲覧して購入した総額の１．００％」などと規定された広告の評価に見合った手数料である。
【００５２】
ＵＲＬは、この店舗の広告用のＵＲＬ（Uniform Resource Locator）であり、カーナビゲーション装置上のアイコンや特定のメニューを選択したときに、表示するためのインターネット上のアドレスである。
【００５３】
図４に示される広告情報リストは、広告基本情報リストを、車両５０のサイトのカーナビゲーション装置５０ｂにより閲覧できるＸＭＬなどのフォーマットに変換したものである。
【００５４】
図５に示される広告配信条件情報リストは、放送局３０で、広告情報リストに格納されている情報を配信するタイムスケジュールを作成するための情報を格納する。また、カード会社６０が立て替え払いをするときの広告料の計算のために用いられる
広告配信条件情報リストは、顧客ＩＤ、配信期間、配信時間帯または配信回数、配信曜日、配信エリア、広告手数料、ＵＲＬなどの項目からなる。
【００５５】
図６に示される放送局検索テーブルは、放送局の情報を検索するためのテーブルであり、エリア、放送局名、種別、ＵＲＬの項目よりなる。
【００５６】
図７に示される広告配信タイムテーブルは、広告配信のスケジュールを管理するためのテーブルであり、配信する曜日、時刻の欄に、顧客ＩＤを書き込んだものである。
【００５７】
〔広告システムの動作の詳細〕
次に、図８ないし図１０を用いて本発明の一実施形態に係る広告システムで用いられる動作の詳細について順を追って説明する。
図８は、本発明の一実施形態に係る広告システムの機能ブロック図である。
図９は、本発明の一実施形態に係る広告システムのカーナビゲーション装置の表示画面の例を示す図である。
図１０は、本発明の一実施形態に係る広告システムの金銭の流れを説明する図である。
（I）店舗１０（広告依頼主）で作成した広告情報を、コンテンツプロバイダ２０に登録又は更新するまで
店舗１０を経営する事業者が広告を出したいときには、コンテンツプロバイダ２０は、店舗１０を経営する事業者（＝広告依頼主）と広告配信に関する契約を結ぶ。コンテンツプロバイダ２０の広告依頼情報管理部２０２は、その広告依頼主に対して、顧客ＩＤを発行し、送受信部２０１と送受信部１０５を介して、広告情報作成部１０１に通知する。
【００５８】
そして、店舗１０側の広告情報作成部１０１は、通知された顧客ＩＤを記憶する。
【００５９】
次に、広告情報作成部１０１を用いて、店舗１０に関する広告基本情報を作成する。広告基本情報とは、この店舗１０の広告に関する基本情報であり、例えば、店舗の名称、店舗のジャンル、営業時間、住所（所在地）、連絡先、広告したい内容、配信期間、配信時間帯または配信回数、配信曜日、配信エリア、広告手数料である。
【００６０】
次に、店舗１０側の送受信部１０５は、通信会社が管理する通信部６０１、送受信部２０１を介して、作成した広告基本情報に自分の顧客ＩＤを付加して、コンテンツプロバイダ２０の広告依頼情報管理部２０２へ送信する。
【００６１】
広告依頼情報管理部２０２は、広告依頼情報管理部２０２自身が発行した顧客ＩＤに照らして、その広告基本情報に付加された顧客ＩＤの正当性をチェックし、広告依頼情報記憶部２０３に送信する。広告依頼情報記憶部２０３は、送信されてきた広告基本情報を、図３に示された広告基本情報リストに、新規の場合には登録し、同一の顧客ＩＤのエントリがあるときには、それを更新する。この広告基本情報リストは、管理サーバ２０ａに接続されたＨＤＤに格納される。
【００６２】
一方、店舗１０を経営する事業者（＝広告依頼主）は、店舗１０の広告情報入力部１０１を用いて、店舗１０に関する広告をユーザーに知らせるためのＷｅｂページを作成する。そして、作成したＷｅｂページを顧客ＩＤと共に、通信部の送受信部７０３、通信部７０１を介して、コンテンツプロバイダ２０の広告依頼情報管理部２０２を送信する。
【００６３】
これら各部の処理は、店舗１０の管理サーバ１０ａのＣＰＵが主記憶上にロードされたプログラムを実行することによりおこなわれる。
【００６４】
コンテンツプロバイダ２０の広告依頼情報管理部２０２では、顧客ＩＤを照合したのち、そのＷｅｂページをＷＷＷサーバ２０４に登録又は更新する。そして、広告依頼情報管理部２０２は、図３に示された広告基本情報リストの該当するエントリに、ＷｅｂページのＵＲＬを広告依頼情報記憶部２０３に追加するか書き換えさせる。
【００６５】
これら各部の処理は、コンテンツプロバイダ２０の管理サーバ２０ａのＣＰＵが主記憶上にロードされたプログラムを実行することによりおこなわれる。
（II）コンテンツプロバイダ２０に登録した広告情報が放送局３０に登録又は更新されるまで
コンテンツプロバイダ２０の広告情報記憶部２０３は、図３に示した広告基本情報リストを登録又は更新がある度に、広告情報編集部２０５へ転送する。
【００６６】
広告情報編集部２０５は、広告基本情報リストに基づき、図４に示した広告情報リストと、図５に示した広告配信条件情報リストを編集する。広告配信条件情報リストは、コンテンツプロバイダ２０の管理サーバ２０ａに接続それたＨＤＤに格納されている。
【００６７】
また、広告情報編集部２０５は、広告情報リストに、住所から割り出した座標値（緯度経度情報）を追加する。これは、次に説明するＰＯＩデータベース２１１で利用できるようにするためである。
【００６８】
また、コンテンツプロバイダ２０のＰＯＩ（Point of Interests：関心地点）データベース２１１は、格納されている店舗１０のＰＯＩデータと、広告情報リストを照合し、登録又は更新されたデータをアップロードする。
【００６９】
次に、コンテンツプロバイダ２０の送信仕分け部２０６は、広告配信条件情報リストの「配信エリア」を検索キーとして、図６に示される放送局検索テーブルを用いて、広告情報リストと広告配信条件情報リストの送信先となる放送局のＵＲＬを検索する。
【００７０】
そして、送信仕分け部２０６は、広告情報リストの情報と広告配信条件情報リストの情報に検索で抽出した放送局３０のＵＲＬを付加する。
【００７１】
次に、コンテンツプロバイダ２０の送受信部２０１は、通信会社の通信部７０１、放送局３０の送受信部３０５を介して、広告情報リストの内容と広告配信条件情報リストの内容を放送局３０の広告情報管理部３０２へ送信する。
【００７２】
これら各部の処理は、コンテンツプロバイダ２０の管理サーバ２０ａのＣＰＵが主記憶上にロードされたプログラムを実行することによりおこなわれる。
【００７３】
そして、放送局の広告情報管理部３０２は、顧客データベース（図示せず）の中の顧客ＩＤを照会する。
【００７４】
顧客ＩＤが無い場合には、広告情報データベース（以下、広告情報ＤＢ）３０１は、送信されてきた広告情報リストの内容と広告配信条件情報の内容を新規で登録する。
【００７５】
顧客ＩＤがある場合には、広告情報ＤＢ３０１は、送信されてきた広告情報リストの内容と広告配信条件情報の内容を上書きして記録する。
【００７６】
これら各部の処理は、放送局３０の管理サーバ３０ａのＣＰＵが主記憶上にロードされたプログラムを実行することによりおこなわれる。
（III）広告に関する条件が、カード会社６０に登録又は更新されるまで
コンテンツプロバイダ２０は、カード会社６０に対して、広告配信条件情報リストの内容を送信する。カード会社６０の決済情報記憶部６０３は、送受信部６０２を介して、広告配信条件情報リストの内容を受け取り、顧客ＩＤが無い場合には、新しいエントリを作成して、同様の広告配信条件情報リストを作成し、顧客ＩＤがある場合には、顧客ＩＤの広告配信条件情報リストのエントリを更新する。
【００７７】
これら各部の処理は、カード会社６０の管理サーバ６０ａのＣＰＵが主記憶上にロードされたプログラムを実行することによりおこなわれる。
（IV）放送局３０で受信した広告情報をデジタル放送で送信するまで
先ず、放送局３０の配信スケジュール作成部３０３は、図７に示した広告配信タイムテーブルを作成する。広告配信タイムテーブルは、所定期間内の広告スケジュールを設定するために作られ、最初に作られたときには、なにも設定されていないが、スケジュールが決まると対応する曜日、時刻欄に顧客ＩＤを埋めていく。広告配信タイムテーブルは、放送局３０の管理サーバ３０ａに接続されたＨＤＤに格納されている。
【００７８】
次に、配信スケジュール作成部３０３は、広告情報管理部３０２を介して、広告情報ＤＢ３０１から格納された広告配信条件情報リストの内容を取得し、広告配信条件情報リストの内容に基づいて、広告配信タイムテーブルを作成する。その後、配信スケジュール作成部３０３は、作成された広告配信タイムテーブルを、配信スケジュール管理部３０４に引き渡す。
【００７９】
次に、配信スケジュール管理部３０４は、所定の時間になると、作成された広告配信タイムテーブルに従って、顧客ＩＤを広告情報管理部３０２に通知する。
【００８０】
広告情報管理部３０２は、配信スケジュール管理部３０４から取得した顧客ＩＤに基づき、広告情報ＤＢ３０１から、広告情報リストの内容を呼び出して、送信部３０５に送信する。
【００８１】
これら各部の処理は、放送局３０の管理サーバ３０ａのＣＰＵが主記憶上にロードされたプログラムを実行することによりおこなわれる。
【００８２】
送信部３０５は、広告情報リストの内容を符号化して、それを広告情報として地上デジタル放送を用いて配信する。送信部３０５は、放送装置３０ｂの機能である。
（V）車両４０において、デジタル放送で受信した広告情報をカーナビゲーション装置に記録するまで
車両４０の        受信部４０７は、地上デジタル放送波を用いて配信される広告情報を受信し、復号化したのち、カーナビゲーション装置４０１に送信する。
【００８３】
カーナビゲーション装置４０１は、広告情報と、ＰＯＩ（Point of Interests：関心地点）情報記憶部４１３で記憶しているＰＯＩ情報の住所を照合する。
【００８４】
照合の結果、広告情報が、既に記憶してある施設の広告に関するものであれば、カーナビゲーション装置４０１は、ＰＯＩ情報から広告を参照できるようにリンク付けする。そして、広告情報記憶部４０８は、その広告情報を記憶する。
【００８５】
照合の結果、広告情報に該当するＰＯＩ情報がなければ、ナビゲーション装置４０１は、その広告情報に基づいて新規にＰＯＩ情報を作成する。そして、ＰＯＩ情報記憶部４１３は、そのＰＯＩ情報を記憶する。その後、ナビゲーション装置４０１は、ＰＯＩ情報から広告を参照できるようにリンク付けする。そして、広告情報記憶部４０８は、その広告情報を記憶する。広告情報は、車載コンピュータ４０ａに接続されたＨＤＤに記憶される。
（VI）車両４０において、カーナビゲーションに記録した広告情報をユーザーが閲覧するまで
ユーザー５０は、表示部４０２および操作部４０３を介して、商業施設の検索をおこなう。カーナビゲーション装置４０１は、ユーザーが指定した検索条件に基づいて、地図情報記憶部４０４および広告情報記憶部４０８から検索し、検索条件に適合した商業施設のリストを表示部４０２に出力する。
（VII）車両４０において、コンテンツプロバイダ２０に登録された広告情報をユーザー５０が閲覧するまで
ユーザー５０は、表示部４０２に表示された商業施設のリストから、操作部４０３を介して興味のある店舗１０の項目を選択する。
【００８６】
カーナビゲーション装置４０１は、表示部４０２に、店舗１０の詳細情報画面を表示する。広告情報記憶部４０８に店舗１０の広告情報が格納されている場合には、その詳細情報画面内に店舗１０のＨＰのリンクを表示する。
【００８７】
ユーザー５０が、広告情報記憶部４０８に記憶されている店舗１０を選択した場合、カーナビゲーション装置４０１は、広告参照履歴記憶部４１１に、店舗１０のその詳細情報を閲覧した日時を記録する。この広告参照履歴は、車載コンピュータに接続されたＨＤＤに格納される。
【００８８】
さらにユーザー５０が、その詳細情報画面内のＨＰのリンクを選択した場合、カーナビゲーション装置４０１は、送受信部４０６、通信部７０１、送受信部２０１を介して、ＨＰ閲覧認証部２０７にアクセスする。ＨＰの閲覧は、カーナビゲーション装置４０１の無線送受信ＩＦを介して、インターネットによりアクセスすることによりおこなわれる。
【００８９】
例えば、図９に示される例では、ユーザー５０は、カーナビゲーション装置４０１で走行している付近の駐車場を捜して、図９（ａ）の画面からＯＯ駐車場に駐車しようとしてＯＯ駐車場の位置をタッチパネルでアクセスしたとする。その結果、図９（ｂ）に示されるようにＯＯ駐車場のＨＰが表示される。
【００９０】
認証完了後、カーナビゲーション装置４０１は、ＷＷＷサーバ２０４にアクセスし、ユーザー５０は、店舗１０のＨＰを閲覧する。このとき、カーナビゲーション装置４０１は、閲覧履歴情報を広告参照履歴記憶部４１１に記録する。閲覧履歴情報として記録されるものには、例えば、ユーザー５０がその店舗１０のＨＰを閲覧した日時、ＨＰを閲覧するのに要した通信時間または情報量（パケットの送受信量）などがある。
（VIII）ユーザー５０が店舗１０の所有または提携する駐車場に車両４０を入庫してから出庫するまで
ユーザー５０は、表示部４０２および操作部４０３を介して、店舗１０を目的地に設定する。そして、ユーザー５０は、カーナビゲーション装置４０１が案内するルートを運転したのち、店舗１０が所有または提携する駐車場に車両４０を入庫する。
【００９１】
店舗１０において、ユーザー５０は、商品やサービスを購入し、決済情報管理部１０３を介して、クレジットカード４１２で決済をする。このとき、決済情報管理部１０３は、カード会社６０に対して通信部を介して信用照会をおこない、照会した内容に問題がなければ決済手続きをおこない、決済情報記憶部１０６は、ユーザー５０の購入履歴を記録する。購入履歴は、管理サーバ３０ａに接続されたＨＤＤに格納される。
【００９２】
これら各部の処理は、店舗１０の管理サーバ１０ａのＣＰＵが主記憶上にロードされたプログラムを実行することによりおこなわれる。
【００９３】
ユーザー５０は、クレジットカード４１２をＤＳＲＣ端末５０ａのカード読み取り口に装着したのち、車両４０を出庫する。このとき、店舗１０側の広告参照履歴照会部１０４は、送受信部（ＤＳＲＣ）１０２、送受信部（ＤＳＲＣ）４０９、決済情報管理部４１０を介して、広告参照履歴記憶部４１１から閲覧履歴情報を照会する。閲覧履歴情報は、車載コンピュータ４０ｂからＤＳＲＣ端末４０ｃに送られる。
【００９４】
店舗１０のＨＰを参照した履歴がある場合は、広告参照履歴照会部１０４は、決済情報管理部１０３に対して、クレジットカード４１２の管理番号と閲覧履歴情報を通知する。
【００９５】
決済情報管理部１０３は、ユーザー５０の購入履歴と閲覧履歴情報をリンク付けして、決済情報記憶部１０６に記録すると共に、カード会社６０に対して通信部を介して、クレジットカード４１２の管理番号と閲覧履歴情報を送信する。
【００９６】
なお、ユーザー５０に対してクレジットカード４１２をＤＳＲＣ端末５０ａに読み取らせて、閲覧履歴情報を送信したことの得点として、カード会社６０は、ポイントサービス、割引サービス、景品などのプレゼントサービスなどをおこなうことにより、ユーザー５０に対して閲覧履歴情報を送信することのモチベーションを高めることができる。
（IV）料金決済が完了するまで
カード会社６０において、店舗１０から送信されたクレジットカード４１２の管理番号、ユーザー５０の購入履歴、閲覧履歴情報を送受信部６０２で受信し、決済情報管理部６０１を介して、決済情報記憶部６０３に記録する。
【００９７】
決済情報管理部６０１は、決済情報記憶部６０３に記録された決済情報を定期的に集計をおこない、例えば、図１０に示されるように、以下のような内訳で代金又は手数料を算出する。
【００９８】
（１）商品又はサービスの代金…ユーザー５０が店舗１０に対して支払う。
【００９９】
（２）広告料…店舗１０が放送局３０に対して支払う。
【０１００】
（３）ＨＰ登録料…店舗１０がコンテンツプロバイダ２０に対して支払う。
【０１０１】
（４）コンテンツ利用料…ユーザー５０がコンテンツプロバイダ２０に対して支払う。
【０１０２】
（５）通信料…店舗１０が通信会社７０に対して支払う。閲覧履歴情報に応じて額を決定する。
【０１０３】
（６）決済手数料…店舗１０がカード会社６０に対して支払う。
【０１０４】
（７）商品又はサービスの代金（（１）から（２）、（３）、（６）を差し引いた額）…カード会社６０が店舗１０に対して支払う。
【０１０５】
そして、カード会社６０において、決済情報管理部６０１は、図１０に示されるように、各決済情報管理部（１０３、２０９、３０７、７０２）に対して、以下のように立替払いをおこなう。
【０１０６】
ａ．店舗１０の決済情報管理部１０３に対して、（７）商品又はサービスの代金の立替払いをおこなう。
【０１０７】
ｂ．コンテンツプロバイダ２０の決済情報管理部２０９に対して、（３）ＨＰ登録料と、（４）コンテンツ利用料の立替払いをおこなう。
【０１０８】
ｃ．放送局３０の決済情報管理部３１０に対して、（２）広告料の立替払いをおこなう。
【０１０９】
この広告料は、ユーザー５０が店舗１０の詳細情報を閲覧した回数と、送信されてきた広告配信条件情報のリストの内容の広告手数料の項目に応じて額を決定する。
【０１１０】
ｄ．通信会社７０の決済情報管理部７０２に対して、（５）通信料の立替払いをおこなう。
【０１１１】
そして、ユーザー５０が、カード会社６０に対して、（１）と（４）の支払いをおこない、全ての決済が完了する。
【０１１２】
これら各部の処理は、カード会社６０の管理サーバ６０ａのＣＰＵが主記憶上にロードされたプログラムを実行することによりおこなわれる。
【０１１３】
以上説明した本実施形態によれば、以下の効果が期待することができる。
【０１１４】
インターネットＩＴＳ協議会で提案する「ユーザーの通信費の負担」を軽減するためのビジネスモデルは、ユーザーが自動車関連の費用をクレジットカードで支払うことを想定しているが、本実施形態によれば、自動車関連だけでなく、非自動車関連の商品又はサービスを購入することによって、より多くの事業主から通信費を回収することができるため、「ユーザーの通信費の負担」をより軽減できる。このことによって、通信機能付きカーナビゲーションシステムの普及を促進し、さらに、「プローブ・カー・システム」と呼ばれる新しい情報インフラの整備を推進する効果が期待できる。（なお、「プローブ・カー・システム」とは、現在実施化が検討されているシステムであり、自動車をセンサとして、交通情報、気象情報、路面情報などの様々な情報を収集するシステムである。）
また、広域的に情報を配信することに適した放送手段（地上デジタル放送）と、より詳しく知りたい情報を検索することに適した通信手段（インターネット）を補完的に利用することによって、ＤＳＲＣを利用したサービス提供を始めて間もない商業施設を経営する事業者に対して、新規の顧客を獲得する機会を提供することができる。さらに、ＤＳＲＣを利用したサービスを提供する施設の普及を促進する効果が期待できる。
【０１１５】
さらに、放送事業者は、より多くの事業者から広告費を回収することができるため、アナログ放送からデジタル放送へ移行するのに伴って生じる、放送インフラの設備投資負担を軽減することができる。また、地上デジタル放送と、「プローブ・カー・システム」を連動することによって、正確な降雨情報や凍結又はスリップ情報、事故多発の危険箇所などを、リアルタイムかつ広範囲にドライバーに通知でき、交通事故の発生件数の減少が期待できる。
【図面の簡単な説明】
【０１１６】
【図１】本発明に係る一実施形態の広告システムの概要を説明する図である。
【図２】本発明の一実施形態に係る広告システムのハードウェア構成図である。
【図３】広告基本情報リストの一例を示す図である。
【図４】広告情報リストの一例を示す図である。
【図５】広告配信条件情報リストの一例を示すである。
【図６】放送局検索テーブルの一例を示す図である。
【図７】広告配信タイムテーブルの一例を示す図である。
【図８】本発明の一実施形態に係る広告システムの機能ブロック図である。
【図９】本発明の一実施形態に係る広告システムのカーナビゲーション装置の表示画面の例を示す図である。
【図１０】本発明の一実施形態に係る広告システムの金銭の流れを説明する図である。
【符号の説明】
【０１１７】
１０…店舗（広告依頼主）
２０…コンテンツプロバイダ
３０…放送局
４０…車両
５０…ユーザー
６０…カード会社
７０…通信会社
【図１】
2008242976.tif 000003
【図２】
2008242976.tif 000004
【図３】
2008242976.tif 000005
【図４】
2008242976.tif 000006
【図５】
2008242976.tif 000007
【図６】
2008242976.tif 000008
【図７】
2008242976.tif 000009
【図８】
2008242976.tif 000010
【図９】
2008242976.tif 000011
【図１０】
2008242976.tif 000012